(57)【要約】      （修正有）【課題】内燃機関のポートを構成する各々の部分がばらつきを有する場合であっても、意図されたポートの特性を出来る限り得ることができる内燃機関のポートを提供する。【解決手段】ポート３１は、内燃機関の燃焼室２５の内部と燃焼室２５の外部とを連通させる。ポート３１は、円錐台の形状の少なくとも一部を有するスロート部３１ｂと、スロート部３１ｂと燃焼室２５の内部とを連通させるようにスロート部３１ｂの一の端部に接続されるバルブシート部３１ａと、スロート部３１ｂと燃焼室２５の外部とを連通させるようにスロート部３１ｂの他の端部に接続される通路部３１ｃと、を備える。【選択図】図２
2012246885.tif 000002
【特許請求の範囲】
【請求項１】
内燃機関の燃焼室の内部と前記燃焼室の外部とを連通させるためのポートであって、円錐台の形状の少なくとも一部を有するスロート部と、前記スロート部と前記燃焼室の内部とを連通させるように前記スロート部の一の端部に接続されるバルブシート部と、前記スロート部と前記燃焼室の外部とを連通させるように前記スロート部の他の端部に接続される通路部と、を備えた内燃機関のポート。
【請求項２】
請求項１に記載のポートにおいて、
前記バルブシート部が、３つ以上の環状の面であってこれら環状の面のうちの隣接する２つの面によって定義される角度のそれぞれが同一である環状の面を有する、内燃機関のポート。
【請求項３】
請求項２に記載のポートにおいて、
前記３つ以上の環状の面の幅のそれぞれが同一である、内燃機関のポート。
【請求項４】
請求項１に記載のポートにおいて、
前記バルブシート部が、複数の環状の面であって該複数の環状の面の幅のそれぞれが同一である複数の環状の面を有する、内燃機関のポート。
【請求項５】
請求項１〜請求項４のいずれか一項に記載のポートにおいて、
前記バルブシート部が４つの環状の面を有する、内燃機関のポート。
【請求項６】
請求項１〜請求項５に記載のいずれか一項に記載のポートにおいて、
前記スロート部をガスが通過するときに前記スロート部の周面に沿って流れるガスの流れ方向が前記スロート部の前記円錐台の形状の母線と平行であるように、前記スロート部と前記通路部とが接続される、内燃機関のポート。
【請求項７】
請求項７に記載のポートにおいて、
前記スロート部の軸線と前記通路部の軸線とが同一の平面に含まれるように、前記スロート部と前記通路部とが接続される、内燃機関のポート。
【請求項８】
請求項１〜請求項７に記載のポートにおいて、
前記スロート部の前記円錐台の形状の母線が延長された直線の少なくとも一部が、前記通路部の周面であって前記通路部と前記スロート部との境界線を含む周面に含まれるように、前記スロート部と前記通路部とが接続される、内燃機関のポート。
【発明の詳細な説明】
【技術分野】
【０００１】
本発明は、内燃機関のポートに関する。
【背景技術】
【０００２】
内燃機関の燃焼室は、一般に、燃焼する前のガス（空気、混合気など）が燃焼室の内部に導入されるように吸気ポートによって燃焼室の外部と連通されるとともに、燃焼した後のガス（排ガス）が燃焼室の外部に放出されるように排気ポートによって燃焼室の外部と連通されている。これらガスの導入および放出の態様は、周知のように、内燃機関の特性に種々の影響を与え得る。なかでも、吸気ポートにつき、従来から、燃焼室の内部へガスを円滑に導入し得るとともに導入されたガスによる旋回流（タンブルなど）を燃焼室の内部において形成し得る吸気ポート、が提案されている。
【０００３】
例えば、従来の吸気ポート（以下、「従来ポート」とも称呼される。）の一つは、スロート部と、スロート部の一端に接続されるバルブシート部と、スロート部の他端に接続される通路部と、を備える。従来ポートのバルブシート部は、複数の環状の面を有する。従来ポートにおいては、これら複数の環状の面が仮想的な湾曲面を構成するとともに、この湾曲面の曲率半径がポートの周方向における位置によって異なる。従来ポートは、この湾曲面の曲率半径を上記位置に応じて適切に設定することにより、燃焼室の内部へ導入されるガスの量を増大させるとともに、燃焼室の内部において形成される旋回流（タンブル）の程度を増大させる（例えば、特許文献１を参照。）。このように、従来から、燃焼室におけるガスの流動を適切に制御することが望まれている。
【先行技術文献】
【特許文献】
【０００４】
【特許文献１】特開２００９−５７８３０号公報
【発明の概要】
【０００５】
ところで、内燃機関のポートは、一般に、ポートを構成する各々の部分（例えば、従来ポートにおけるスロート部、バルブシート部および通路部）を順次に個別に形成することによって作成される。例えば、従来ポートにおいては、まず、通路部が形成されるように所定の部材（シリンダヘッドなど）が鋳造される。次いで、スロート部が通路部の端部に形成されるように上記鋳造された部材が切削加工される。その後、バルブシート部がスロート部の端部に形成されるように上記鋳造された部材がさらに切削加工される。これら工程を経て、バルブシート部、スロート部および通路部が接続された従来ポートがが作成される。
【０００６】
しかしながら、ポートを構成する各々の部分は、周知のように、製造上のばらつき（製造の際に生じ得る同一種の部分間における寸法などの差。以下、単に「ばらつき」とも称呼される。）を有する場合がある。このばらつきがポートの特性に与える影響は、ばらつきの程度が十分に小さい場合、燃焼室におけるガスの流動を適切に制御するという観点において無視できる程度に小さいと考えられる。これに対し、ばらつきの程度が相当に大きい場合、意図されたポートの特性が十分に得られず、燃焼室におけるガスの流動が適切に制御されない場合があると考えられる。
【０００７】
本発明の目的は、上記課題に鑑み、内燃機関のポートを構成する各々の部分がばらつきを有する場合であっても、意図されたポートの特性を出来る限り得ることができる内燃機関のポートを提供することにある。
【０００８】
上記課題を解決するための本発明による内燃機関のポートは、スロート部と、バルブシート部と、通路部と、を備える。
【０００９】
上記ポートは、内燃機関の燃焼室の内部と前記燃焼室の外部とを連通させる。例えば、ポートは、内燃機関の吸気通路（例えば、インテークマニホールド）と燃焼室との間、または、内燃機関の排気通路（例えば、エキゾーストマニホールド）と燃焼室との間、に設けられ得る。さらに、例えば、ポートは、吸気通路または排気通路の一部として、吸気通路の端部であって吸気通路と燃焼室とが接続される端部、または、排気通路の端部であって排気通路と燃焼室とが接続される端部、に設けられ得る。すなわち、ポートは、吸気通路または排気通路の一部であってもよく、それらとは異なる部分であってもよい。
【００１０】
別の言い方をすると、ポートは、燃焼室の外部から燃焼室の内部へ導入されるガス（例えば、空気、および、空気と燃料との混合気など）、または、燃焼室の内部から燃焼室の外部へ放出されるガス（例えば、排ガス）、が通過する流路の一部を構成し得る。より具体的に述べると、ポートは、それらガスが通過する流路そのもの（空間・空洞）であってもよく、その流路（空間・空洞）を画成する部材であってもよい。
【００１１】
ところで、上記説明から理解されるように、ガスが通過する流路そのものの外周面（すなわち、流路という空間を規定する仮想の面）と、その流路を画成する部材の内周面（すなわち、流路を提供するために部材内部に形成された空間を画成する内周壁面）と、は互いに対応する形状を有するとともに、互いに接触している。そのため、ポートの形状を検討する観点においては、それらは一致すると考えられ得る。そこで、以下、ポートに関して、ガスが通過する流路そのものの外周面および同流路を画成する部材の内周面は、単に「ポートの周面」とも総称される。さらに、スロート部、バルブシート部および通路部（これら部分の詳細は後述される。）に関しても、上記同様、ガスが通過する流路そのものの外周面および同流路を画成する部材の内周面は、単に「スロート部の周面」、「バルブシート部の周面」および「通路部の周面」とも総称される。
【００１２】
上記スロート部は、円錐台の形状（別の言い方をすると、切頭円錐の形状）の少なくとも一部を有する。別の言い方をすると、上記スロート部を構成する空間は、円錐台の形状の空間の少なくとも一部の空間であり得る。スロート部とは、後述されるバルブシート部と通路部との間に存在するとともにそれら双方が接続される部分である。
【００１３】
上述したように、ポートは、流路そのものであってもよく、流路を画成する部材であってもよい。よって、本発明において、「スロート部が円錐台の形状である」とは、（ａ）流路のうちのスロート部と称呼される部分そのもの（空間・空洞）が円錐台の形状であること、または、（ｂ）流路のうちのスロート部と称呼される部分（空間・空洞）が円錐台の形状であるようにその部分を画成する部材が構成されていること、を表し得る。
【００１４】
さらに、本発明において、スロート部が円錐台の形状の「少なくとも一部」であるとは、（ｃ）スロート部が完全な円錐台（すなわち、円形の底面および上面、ならびに、帯状の側面、によって囲まれる立体）の形状であること、または、（ｄ）スロート部が完全な円錐台からその一部を取り除くことによって得られる形状であること、を表し得る（例えば、図３を参照。）。
【００１５】
なお、スロート部が円錐台の形状の少なくとも一部を「有する」とは、スロート部が上記（ａ）〜（ｄ）から理解される形状を含むこと（すなわち、スロート部の一部または全部が円錐台の形状であること）を表し得る。よって、例えば、スロート部は、円錐台の形状と他の形状とが組み合わされて得られる形状であってもよい。
【００１６】
上記バルブシート部は、前記スロート部と前記燃焼室の内部とを連通させるように、前記スロート部の一の端部に接続される。別の言い方をすると、バルブシート部は、ポートのうちの燃焼室の内部に面する位置に設けられる。バルブシート部は、上記同様、流路そのものであってもよく、流路を画成する部材であってもよい。なお、周知のように、バルブシート部と所定の部材（例えば、バルブ）とが接触または隔離されることにより、ポートを通過するガスの量が調整され得る。
【００１７】
バルブシート部の形状については、特に制限されない。バルブシート部の形状の詳細は、後述される。
【００１８】
上記通路部は、前記スロート部と前記燃焼室の外部とを連通させるように、前記スロート部の他の端部に接続される。通路部は、上記同様、流路そのものであってもよく、流路を画成する部材であってもよい。
【００１９】
通路部の形状は、特に制限されない。例えば、通路部として、円柱の形状の少なくとも一部を有する部分、および、角柱の形状の少なくとも一部を有する部分などが採用され得る。別の言い方をすると、通路部として、円柱の形状の空間の少なくとも一部の空間によって構成される通路部、および、角柱の形状の空間の少なくとも一部の空間によって構成される通路部などが採用され得る。
【００２０】
以下、スロート部とバルブシート部とが接続される位置は「スロート部およびバルブシート部の接続位置」とも称呼され、スロート部と通路部とが接続される位置は「スロート部および通路部の接続位置」とも称呼される。
【００２１】
上述したように構成される本発明のポートにおいて、ポートを通過するガスの流れ方向は、スロート部およびバルブシート部の接続位置、および、スロート部および通路部の接続位置、において変化する場合がある。例えば、スロート部および通路部の接続位置にてスロート部の周面に対して通路部の周面が特定の角度（以下、「接続角度」とも称呼される。）だけ傾いている場合、ガスが接続位置を通過するとき、それら周面の近傍を流れるガスの流れ方向は、接続角度に応じて（すなわち、スロート部の周面および通路部の周面に沿うように）変化すると考えられる。
【００２２】
そこで、燃焼室におけるガスの流動を適切に制御するためには、ポートを構成する部材（スロート部、バルブシート部および通路部）が「ばらつき」を有する場合であっても、上記接続角度が出来る限り変化しないことが望ましいと考えられる。
【００２３】
ところが、例えば、スロート部が「半球」の形状（別の言い方をすると、「ドーム型」の形状。本発明における「円錐台」の形状とは異なる形状。）を有する場合、その半球の形状の球面の部分に通路部が接続されると、スロート部および通路部の接続角度は、スロート部および通路部の接続位置によって異なると考えられる。これは、スロート部および通路部の接続角度は「接続位置における半球の接平面と、通路部の周面と、によって定義される角度（すなわち、接続位置において半球の接平面と通路部の周面とがそれらの間に形成する角度）」に相当するとともに、「半球の接平面の傾き」は一般に接続位置によって異なるためである。よって、この場合、ポートを構成する部材が「ばらつき」を有すると、ばらつきに起因してスロート部および通路部の接続位置が変化し、接続角度が変化すると考えられる。（例えば、図４を参照。）。
【００２４】
一方、本発明のポートのスロート部は、「円錐台」の形状の少なくとも一部を有する。そのため、例えば、円錐台の形状の側面の部分に通路部が接続されると、スロート部および通路部の接続角度は、スロート部および通路部の接続位置にかかわらず同一であり得ると考えられる。これは、スロート部および通路部の接続角度は「接続位置における円錐台の側面と、通路部の周面と、によって定義される角度（すなわち、接続位置において円錐台の側面と通路部の周面とがそれらの間に形成する角度）」に相当するとともに、「円錐台の側面の傾き」は接続位置が異なっても同接続位置が円錐台の同一の母線上に存在すれば同一であるからである。よって、本発明のポートにおいては、ポートを構成する部材が「ばらつき」を有する場合であっても、ばらつきに起因してスロート部および通路部の接続位置が同一の母線上において変化する限り、接続角度が変化しないと考えられる。さらに、本発明のポートにおいては、スロート部および通路部の接続位置が同一の母線上において変化しない場合、または、通路部の周面の傾きが変化する場合であっても、一般に、上述した半球の形状を有するスロート部に比べ、接続角度が変化することが抑制され得ると考えられる。
【００２５】
さらに、本発明のポートにおいては、スロート部の円錐台の形状の「上面」または「底面」の部分に通路部が接続される場合においても、スロート部の円錐台の形状の上面または側面は平面であるので、半球の形状を有するスロート部に比べ、ポートを構成する部材が「ばらつき」を有する場合に接続角度が変化することが抑制され得ると考えられる。
【００２６】
加えて、上記説明から理解されるように、スロート部およびバルブシート部の接続角度に関しても、上記同様、ポートを構成する部材が「ばらつき」を有する場合であってもその接続角度が変化することが抑制され得ると考えられる。
【００２７】
なお、スロート部の円錐台の形状の側面の部分に通路部が接続されることは、「スロート部と通路部との境界線の少なくとも一部が、スロート部の円錐台の形状の側面上に存在すること」とも表現され得る。
【００２８】
このように、本発明のポートは、ポートを構成する部材（スロート部、バルブシート部および通路部）のばらつきがポートの特性に及ぼす影響が出来る限り小さくなるように（例えば、接続角度が意図されたポートの特性が得られる範囲内の角度に維持されるように）、構成されている。したがって、本発明のポートは、ポートを構成する各々の部材がばらつきを有する場合であっても、意図されたポートの特性を出来る限り得ることができる。
【００２９】
以下、本発明のポートのいくつかの態様が説明される。
【００３０】
まず、本発明のポートの一の態様において、
前記バルブシート部は、３つ以上の環状の面であって、これら環状の面のうちの隣接する２つの面によって定義される角度（すなわち、これら環状の面のうちの隣接する２つの面がそれらの間に形成する角度。以下、「隣接する面の接続角度」とも称呼される。）のそれぞれが同一である環状の面を有する、ように構成され得る（例えば、図７を参照。）。別の言い方をすると、前記バルブシート部を構成する空間が３つ以上の環状の面（例えば、上面の直径と底面の直径とが異なる円筒の形状の面）によって画成されており、これら環状の面のうちの隣接する２つの面によって定義される角度のそれぞれが同一である、ようにこれら環状の面が構成され得る。なお、隣接する面の接続角度は、隣接する２つの面の間の角度とも表現され得る。
【００３１】
上述したように、バルブシート部は、燃焼室の内部に面する位置に設けられる。そのため、バルブシート部をガスが通過するときの同ガスの状態は、燃焼室におけるガスの流動に影響を与え得ると考えられる。例えば、通路部、スロート部およびバルブシート部をこの順に通過したガスが燃焼室の内部に導入（吸気）されるとき、ガスが燃焼室の内部の所定の方向に円滑に導入されれば、燃焼室の内部に導入されるガスの量が増大されるとともに、燃焼室の内部において旋回流（タンブルなど）が適切に形成され得ると考えられる。
【００３２】
バルブシート部の周面の近傍を流れるガスは、一般に、その周面に沿うように流れると考えられる。ところが、内燃機関におけるガス（例えば、空気、混合気および排ガスなど）は一般に特定の質量および粘性などを有するので、周面の状態（例えば、一の周面と他の周面との間の角度の大きさ、ガスの流れ方向と周面との間の角度の大きさ、および、それら角度の変化率など）が急激に変化すると、ガスが周面に十分に沿うように流れない場合がある。別の言い方をすると、ガスが周面に沿わない方向に向かって（例えば、周面から離れるように）流れる場合がある。以下、ガスが周面に沿わない方向に向かって流れることは、ガスが周面から「剥離する」とも称呼される。
【００３３】
ガスが周面から剥離すると、その剥離したガスによってそのガスの周辺を流れるガスの流れが妨げられるとともに、ガスが周面から剥離した箇所の周辺においてガスが円滑に流れない場合がある。よって、バルブシート部の周面からガスが剥離すると、燃焼室におけるガスの流動が適切に制御されない場合があると考えられる。
【００３４】
そこで、本態様のバルブシート部は、上述した３つ以上の環状の面を有するように構成される。本態様において、隣接する面の接続角度のそれぞれは同一であるので、ガスがバルブシート部を通過するとき、その周面の近傍を流れるガスの流れ方向は、隣接する面の接続位置を通過する毎に同一の角度ずつ変更され得る。そのため、周面の状態が急激に変化する（例えば、隣接する面の接続角度が同一でない）バルブシート部に比べ、ガスがバルブシート部の周面から剥離する可能性が小さいと考えられる。その結果、本態様のポートは、燃焼室におけるガスの流動をより適切に制御し得ると考えられる。
【００３５】
本態様において、隣接する面の接続角度のそれぞれが「同一」であるとは、接続角度のそれぞれが実際に同一であること、または、接続角度のそれぞれが実質的に同一であることを表す。ここで、接続角度のそれぞれが実質的に同一であるとは、接続角度のそれぞれが「バルブシート部の周面からガスが剥離する可能性が燃焼室におけるガスの流動を制御する観点において許容できない程度に大きい」と判断し得るほど不均一でないこと、を表す。
【００３６】
本態様において、前記バルブシート部の前記環状の面は、その幅のそれぞれが同一である、ように構成され得る。別の言い方をすると、前記バルブシート部を構成する空間を画成する環状の面は、その中心軸線方向の長さのそれぞれが同一である、ように構成され得る。
【００３７】
本態様のポートは後述される理由から燃焼室におけるガスの流動をより適切に制御し得ると考えられる。
【００３８】
なお、本態様において、各々の環状の面は、環状の面の幅がその周方向の位置において均一であるように（すなわち、幅が均一な帯が閉じた環であるように）構成され得る。別の言い方をすると、本態様において、各々の環状の面は、その中心軸方向の長さがその周方向の位置において均一であるように構成され得る。
【００３９】
次いで、本発明のポートの他の態様において、
前記バルブシート部は、複数の環状の面であって、該複数の環状の面の幅のそれぞれが同一である複数の環状の面を有する、ように構成され得る。なお、環状の面の「幅」とは、環状の面の周方向に垂直な方向における環状の面の一端と他端との間の距離を表す（例えば、図８を参照。）。
【００４０】
本態様において、複数の環状の面の幅のそれぞれは同一であるので、ガスがバルブシート部を通過するとき、その周面の近傍を流れるガスの流れ方向は、同一の距離（環状の面の幅）を進む毎に変更される。そのため、周面の状態が急激に変化する（例えば、環状の面の幅が同一でない）バルブシート部に比べ、ガスがバルブシート部の周面から剥離する可能性が小さいと考えられる。その結果、本態様のポートは、燃焼室におけるガスの流動をより適切に制御し得ると考えられる。
【００４１】
本態様において、複数の環状の面の幅のそれぞれが「同一」であるとは、複数の環状の面の幅のそれぞれが実際に同一であること、または、複数の環状の面の幅のそれぞれが実質的に同一であることを表す。ここで、複数の環状の面の幅のそれぞれが実質的に同一であるとは、複数の環状の面の幅のそれぞれが「バルブシート部の周面からガスが剥離する可能性が燃焼室におけるガスの流動を制御する観点において許容できない程度に大きい」と判断し得るほど不均一でないこと、を表す。
【００４２】
なお、本態様において、各々の環状の面は、環状の面の幅がその周方向の位置において均一であるように（すなわち、幅が均一な帯が閉じた環であるように）構成され得る。
【００４３】
ところで、上述した各々の態様のバルブシート部において、バルブシート部が有する環状の面の数は、特に制限されない。環状の面の数は、例えば、バルブシート部を形成するためのコスト、バルブシート部に所定のバルブが接触するときのガスの遮断性、および、バルブシート部を形成するときに起こり得るばらつきの程度などを考慮し、定められ得る。
【００４４】
例えば、上記の点を考慮し、前記バルブシート部として、４つの環状の面を有するバルブシート部が採用され得る。別の言い方をすると、前記バルブシート部として、４つの環状の面によって画成される空間によって構成されるバルブシート部が採用され得る。
【００４５】
上記各態様にて述べたように、「バルブシート部」をガスが通過するときの同ガスの状態は、燃焼室におけるガスの流動に影響を与え得ると考えられる。そこで、上記各々の態様において、バルブシート部は、バルブシート部の周面からガスが剥離する可能性が小さくなるように構成されている。
【００４６】
さらに、バルブシート部をガスが通過するときの同ガスの状態に加え、「スロート部」をガスが通過するときの同ガスの状態も、燃焼室におけるガスの流動に影響を与え得ると考えられる。例えば、通路部、スロート部およびバルブシート部をこの順に通過したガスが燃焼室の内部に導入（吸気）されるとき、燃焼室の内部におけるガスの流れ方向は、バルブシート部を通過する前（すなわち、スロート部をガスが通過するとき）のガスの流れ方向にも関連すると考えられる。
【００４７】
そこで、本発明のポートのさらに他の態様において、
前記スロート部をガスが通過するときに前記スロート部の周面に沿って流れるガスの流れ方向が前記スロート部の前記円錐台の形状の母線と平行であるように、前記スロート部と前記通路部とが接続され得る。なお、円錐台の形状の母線とは、円錐台の側面上の線分であって、円錐台の上面の周と底面の周との間を最短距離にて結ぶ線分を表す。
【００４８】
円錐台の形状の母線は、周知のように、曲線ではない線分である。そのため、スロート部と通路部とが上述したように接続されると、スロート部の周面に沿って流れるガスの流れ方向は、同ガスがスロート部を通過するときに変化しない。換言すると、スロート部の周面に沿って流れるガスは、上記母線の向きに応じた方向に（母線と平行な向きに）流れることになる。
【００４９】
よって、本態様のポートは、スロート部の母線の向きを調整することにより、スロート部をガスが通過するときの同ガスの流れ方向を調整し得る。その結果、本態様のポートは、燃焼室におけるガスの流動をより適切に制御し得ると考えられる。例えば、通路部、スロート部およびバルブシート部をこの順に通過したガスが燃焼室の内部に導入（吸気）される場合、スロート部および通路部の接続位置にて同ガスの剥離が生じないように、同ガスの流れ方向が調整され得る。
【００５０】
なお、上記「ガス」は、例えば、燃焼する前のガス（空気、混合気など）または燃焼した後のガス（排ガス）などを表す。
【００５１】
上記態様のポートの一の具体例として、例えば、
前記スロート部の軸線と前記通路部の軸線とが同一の平面に含まれるように、前記スロート部と前記通路部とが接続され得る。
【００５２】
上記各態様にて述べたように、「バルブシート部」および「スロート部」をガスが通過するときの同ガスの状態は、燃焼室におけるガスの流動に影響を与え得ると考えられる。さらに、それらに加え、「スロート部および通路部の接続位置」をガスが通過するときの同ガスの状態も、燃焼室におけるガスの流動に影響を与え得ると考えられる。例えば、通路部、スロート部およびバルブシート部をこの順に通過したガスが燃焼室の内部に導入（吸気）されるときスロート部および通路部の接続位置においてガスの流れ方向が急激に変化すると、燃焼室の内部にガスが円滑に導入されない場合があると考えられる。
【００５３】
そこで、本発明のポートのさらに他の態様において、
前記スロート部の前記円錐台の形状の母線が延長された直線の少なくとも一部（以下、「母線の延長線」とも称呼される。）が、前記通路部の周面であって前記通路部と前記スロート部との境界線を含む周面（以下、「接続位置の近傍の周面」とも称呼される。）に含まれるように、前記スロート部と前記通路部とが接続され得る（例えば、図９を参照。）。
【００５４】
別の言い方をすると、本態様において、母線の延長線上における「スロート部の円錐台の形状の側面」と「接続位置の近傍の周面」との接続角度がゼロ（または１８０度）であるように、スロート部と通路部とが接続され得る。
【００５５】
スロート部と通路部とが上述したように接続されると、スロート部および通路部の周面であって母線の延長線に対応する周面の近傍を流れるガス（以下、「スロート部通過ガス」とも称呼される。）が通路部およびスロート部の接続位置（上記境界線に相当。）を通過するとき、スロート部通過ガスの流れ方向は変化しない。換言すると、スロート部通過ガスは、通路部およびスロート部を一直線に通過する。
【００５６】
よって、本態様のポートにおいては、スロート部および通路部の接続位置においてスロート部通過ガスの流れ方向が変化するポートに比べ、スロート部通過ガスがポートをより円滑に通過し得る。その結果、本態様のポートは、燃焼室におけるガスの流動をより適切に制御し得ると考えられる。例えば、通路部、スロート部およびバルブシート部をこの順に通過したガスが燃焼室の内部に導入（吸気）される場合、ポートを通過するときのガスのエネルギの損失が低減され、燃焼室の内部において旋回流（タンブルなど）がより適切に形成され得ると考えられる。
【図面の簡単な説明】
【００５７】
【図１】本発明の第１実施形態に係るポートが適用される内燃機関の概略図である。
【図２】本発明の第１実施形態に係るポートの断面の概略を示す図である。
【図３】本発明の第１実施形態に係るポートの概略を示す拡大斜視図である。
【図４】参考例としてのポートをガスが通過する様子を示す概略図である。
【図５】本発明の第１実施形態に係るポートをガスが通過する様子を示す概略図である。
【図６】本発明の第２実施形態に係るポートの概略を示す拡大斜視図である。
【図７】本発明の第２実施形態に係るポートの断面の概略を示す図である。
【図８】本発明の第３実施形態に係るポートの断面の概略を示す図である。
【図９】本発明の第４実施形態に係るポートの概略を示す拡大斜視図である。
【図１０】参考例としてのポートの断面の概略を示す図である。
【図１１】参考例としてのポートを通過したガスの燃焼室の内部における流動を示す概略図である。
【図１２】参考例としてのポートを通過したガスの燃焼室の内部における流動を示す概略図である。
【図１３】本発明の第４実施形態に係るポートを通過したガスの燃焼室の内部における流動を示す概略図である。
【図１４】タンブル比と流量係数との関係の概略を示すグラフである。
【発明を実施するための形態】
【００５８】
以下、本発明による内燃機関のポートの各実施形態（第１実施形態〜第４実施形態）が、図面を参照しながら説明される。
【００５９】
（第１実施形態）
＜装置の概要＞
図１は、本発明の第１実施形態に係るポート（吸気ポートおよび排気ポート）が内燃機関１０に適用されたシステムの概略構成を示している。内燃機関１０は、４サイクル火花点火式多気筒（４気筒）機関である。図１は、複数の気筒のうちの一の気筒の断面のみを示している。なお、他の気筒も、この一の気筒と同様の構成を備えている。以下、「内燃機関１０」は、単に「機関１０」とも称呼される。
【００６０】
この機関１０は、シリンダブロック部２０、シリンダブロック部２０の上部に固定されるシリンダヘッド部３０、シリンダブロック部２０に空気と燃料とが混合されたガス（混合気）を導入するための吸気系統４０、シリンダブロック部２０から排出されるガス（排ガス）を機関１０の外部に放出するための排気系統５０、アクセルペダル６１、各種のセンサ７１〜７８、および、電子制御装置８０、を備えている。
【００６１】
シリンダブロック部２０は、シリンダ２１、ピストン２２、コンロッド２３、および、クランクシャフト２４、を有している。ピストン２２はシリンダ２１内を往復動し、ピストン２２の往復動がコンロッド２３を介してクランクシャフト２４に伝達され、これにより同クランクシャフト２４が回転するように構成されている。シリンダ２１の内周面、ピストン２２の上面およびシリンダヘッド部３０の下面により、燃焼室２５が画成されている。
【００６２】
シリンダヘッド部３０は、燃焼室２５に連通した吸気ポート３１、吸気ポート３１を開閉する吸気バルブ３２、吸気バルブ３２を駆動するインテークカムシャフト３３、燃料を吸気ポート３１内に噴射するインジェクタ３４、燃焼室２５に連通した排気ポート３５、排気ポート３５を開閉する排気ポート３６、排気ポート３６を駆動するエキゾーストカムシャフト３７、点火プラグ３８、および、点火プラグ３８に与える高電圧を発生するイグニッションコイルを含むイグナイタ３９、を有している。
【００６３】
図２は、燃焼室２５、吸気ポート３１および排気ポート３５を含む領域が燃焼室２５の軸線に平行な平面によって切断されたときの同燃焼室２５、同吸気ポート３１および同排気ポート３５の断面の概略を示す図である。なお、理解が容易になるように、本実施形態のポートの構成を説明するために必ずしも必要ではない部材（例えば、点火プラグ３８など）は、図２に示されていない。
【００６４】
以下、第１実施形態に係るポートのうちの吸気ポート３１が、より具体的に説明される。図２に示すように、吸気ポート３１は、バルブシート部３１ａ、スロート部３１ｂ、および、通路部３１ｃを有する。
【００６５】
なお、本例において、吸気ポート３１とは、燃焼室２５と後述するインテークマニホールド４１との間において混合気が通過する流路そのもの、または、その流路を画成する部材、を表す。
【００６６】
バルブシート部３１ａは、スロート部３１ｂと燃焼室２５の内部とを連通させるように、スロート部３１ｂの一の端部（後述する他の端部よりも燃焼室２５に近い端部。以下、「燃焼室側端部」とも称呼される。）に接続されている。一方、通路部３１ｃは、スロート部３１ｂと燃焼室２５の外部とを連通させるように、スロート部３１ｂの他の端部（上述した一の端部よりも吸気系統４０に近い端部。以下、「吸気側端部」とも称呼される。）に接続されている。スロート部３１ｂは、バルブシート部３１ａと通路部３１ｃとの間に存在するとともに、バルブシート部３１ａおよび通路部３１ｃの双方と接続されている。
【００６７】
図３は、吸気ポート３１の概略を示す拡大斜視図である。図３に示すように、スロート部３１ｂは、円錐台の形状の一部（以下、便宜上、「円錐台部分」と称呼される。）３１ｂ１と、他の形状（本例においては、円柱の形状）の部分３１ｂ２と、を有する。円錐台部分３１ｂ１は、網掛け部分として示されるように、完全な円錐台からその一部（破線にて示される領域３１ｂ３）を取り除くことによって得られる形状を有している。このように、スロート部３１ｂは、「円錐台の形状の少なくとも一部」を有している。
【００６８】
なお、本例において、スロート部３１ｂが円錐台の形状の少なくとも一部を有するとは、混合気が通過する流路のうちのスロート部と称呼される部分が円錐台の形状の少なくとも一部を有すること、または、同部分が円錐台の形状の少なくとも一部を有するように同部分を画成する部材が構成されていること、を表す。
【００６９】
通路部３１ｃは、スロート部３１ｂの円錐台の形状（円錐台部分）３１ｂ１の「側面」の部分に接続されている。別の言い方をすると、スロート部３１ｂと通路部３１ｃとの境界線の少なくとも一部（本例においては、全部）が、スロート部３１ｂの円錐台の形状の側面上に存在する。なお、通路部３１ｃは、円柱の形状を有している。
【００７０】
バルブシート部３１ａは、スロート部３１ｂの他の形状（円柱の形状）の部分３１ｂ２に接続されている。なお、バルブシート部３１ａは、（他の形状の部分３１ｂ２を介さずに）円錐台部分３１ｂ１の「底面」の部分に接続されてもよい。別の言い方をすると、スロート部３１ｂとバルブシート部３１ａとの境界線の少なくとも一部が、スロート部３１ｂの円錐台の形状の底面上に存在するように、スロート部３１ｂとバルブシート部３１ａとが接続されてもよい。
【００７１】
混合気が吸気ポート３１を通過して燃焼室２５に導入されるとき、混合気は、通路部３１ｃ、スロート部３１ｂおよびバルブシート部３１ａをこの順に通過する（図中の矢印ＩＮを参照。）。このように、吸気ポート３１は、燃焼室２５の外部から燃焼室２５の内部へ導入される混合気が通過する流路の一部を構成している。
【００７２】
以下、吸気ポート３１に関して、混合気が通過する流路そのものの外周面およびその流路を画成する部材の内周面は、「吸気ポート３１の周面」とも称呼される。同様に、バルブシート部３１ａ、スロート部３１ｂおよび通路部３１ｃに関して、以下、混合気が通過する流路そのものの外周面およびその流路を画成する部材の内周面は、「バルブシート部３１ａの周面」、「スロート部３１ｂの周面」および「通路部３１ｃの周面」とも称呼される。
【００７３】
再び図２を参照すると、排気ポート３５は、吸気ポート３１と同様の構成（すなわち、スロート部、バルブシート部および通路部）を有する。そこで、排気ポート３５の構成についての具体的な説明は、省略される。排ガスが排気ポート３５を通過して燃焼室２５から放出されるとき、排ガスは、バルブシート部、スロート部および通路部をこの順に通過する（図中の矢印ＥＸを参照。）。なお、本例において、排気ポート３５とは、燃焼室２５と後述するエキゾーストマニホールド５１との間において混合気が通過する流路そのもの、または、その流路を画成する部材、を表す。
【００７４】
上述したように構成された吸気ポート３１のバルブシート部３１ａに吸気バルブ３２が接触することによって混合気が通過する通路が遮断され、バルブシート部３１ａから吸気バルブ３２が離れることによって混合気が通過する通路が開放される。すなわち、吸気バルブ３２により、吸気ポート３１が開閉される。同様に、排気バルブ３６により、排気ポート３５が開閉される。
【００７５】
再び図１を参照すると、吸気系統４０は、上述した吸気ポート３１を介してそれぞれの気筒に連通されたインテークマニホールド４１、インテークマニホールド４１の上流側の集合部に接続された吸気管４２、吸気管４２の端部に設けられたエアクリーナ４３、吸気管４２の開口面積（開口断面積）を変更することができるスロットル弁（吸気絞り弁）４４、および、指示信号に応じてスロットル弁４４を回転駆動するスロットル弁アクチュエータ４４ａ、を有している。吸気ポート３１、インテークマニホールド４１および吸気管４２により、吸気通路が構成されている。
【００７６】
排気系統５０は、上述した排気ポート３５を介してそれぞれの気筒に連通されたエキゾーストマニホールド５１、エキゾーストマニホールド５１の下流側の集合部に接続された排気管５２、および、排気管５２に設けられた排ガス浄化用触媒５３、を有している。排気ポート３５、エキゾーストマニホールド５１および排気管５２により、排気通路が構成されている。
【００７７】
再び図１を参照すると、機関１０の外部には、機関１０に加速要求および要求トルクなどを入力するためのアクセルペダル６１が設けられている。アクセルペダル６１は、機関１０の操作者によって操作される。
【００７８】
機関１０は、各種のセンサとして、吸入空気量センサ７１、スロットル弁開度センサ７２、クランクポジションセンサ７３、水温センサ７４、空燃比センサ７５，７６、および、アクセル開度センサ７７、を備えている。
【００７９】
これらセンサのうち、クランクポジションセンサ７３は、クランクシャフト２４の近傍に設けられている。クランクポジションセンサ７３は、クランクシャフト２４が１０°回転する毎に幅の狭いパルスを有する信号を出力するとともに、クランクシャフト２４が３６０°回転する毎に幅の広いパルスを有する信号を出力するように構成されている。これら信号に基づき、クランクシャフト２４の単位時間あたりの回転数（以下、単に「機関回転速度ＮＥ」とも称呼される。）が取得される。
【００８０】
さらに、機関１０は、電子制御装置８０を備えている。
電子制御装置８０は、ＣＰＵ８１、ＣＰＵ８１が実行するプログラム、テーブル（マップ）および定数などをあらかじめ記憶したＲＯＭ８２、ＣＰＵ８１が必要に応じて一時的にデータを格納するＲＡＭ８３、電源が投入された状態でデータを格納すると共に格納したデータを電源が遮断されている間も保持するバックアップＲＡＭ８４、ならびに、ＡＤコンバータを含むインターフェース８５を有する。ＣＰＵ８１、ＲＯＭ８２、ＲＡＭ８３、ＲＡＭ８４およびインターフェース８５は、互いにバスで接続されている。
【００８１】
インターフェース８５は、上記各センサと接続され、ＣＰＵ８１にそれらセンサから出力される信号を伝えるように構成されている。さらに、インターフェース８５は、インジェクタ３４、イグナイタ３９およびスロットル弁アクチュエータ４４ａなどと接続され、ＣＰＵ８１の指示に応じてそれらに指示信号を送るように構成されている。
以上が、本発明の第１実施形態に係るポートが機関１０に適用されたシステムの概要である。
【００８２】
＜ばらつきと混合気の流動との関係＞
上述したように、吸気ポート３１を構成する部材は、ばらつきを有する場合がある。以下、吸気ポート３１を構成する部材のばらつきと、吸気ポート３１を通過する混合気の流動と、の関係が説明される。
【００８３】
まず、第１実施形態に係る吸気ポート３１における上記関係が説明される前に、「参考例」としての吸気ポートにおける上記関係が説明される。図４は、参考例としての吸気ポート９１を混合気が通過する様子を示す概略図である。図４に示すように、参考例の吸気ポート９１は、スロート部が「楕円体」の形状の一部（別の言い方をすると、「ドーム型」の形状）を有している点において、本発明の第１実施形態に係る吸気ポート３１と相違している。
【００８４】
図４における符号Ａは、吸気ポート９１を構成する部材がばらつきを「有さない」場合における通路部の周面を表す。この場合、通路部の周面Ａとスロート部とが接続される位置において、通路部の周面Ａとスロート部の接平面（図中の一点鎖線）とによって定義される角度の大きさは、角度αである。
【００８５】
通路部の周面Ａの近傍を流れる混合気が吸気ポート９１を通過するとき、混合気は、図中の「実線の矢印」に示すように、通路部の周面Ａおよびスロート部の周面に沿うように流れると仮定する。
【００８６】
一方、図４における符号Ｂは、吸気ポート９１を構成する部材がばらつきを「有する」場合における通路部の周面Ｂを表す。具体的に述べると、この場合、通路部の周面とスロート部とが接続される位置が通路部の中心（軸線）にδだけ近づくような（図中の上方向に移動するような）ばらつきが生じている。以下、このばらつきは、「ばらつきδ」とも称呼される。楕円体の接平面の傾きは一般にスロート部と通路部とが接続される位置によって異なるので、この場合、通路部の周面Ｂとスロート部の接平面（図中の一点鎖線）とによって定義される角度の大きさは、角度αとは異なる角度βであることになる。本例において、角度βは、角度αよりも小さい。
【００８７】
通路部の周面Ｂの近傍を流れる混合気が吸気ポート９１を通過するとき、角度βが角度αよりも小さいので、混合気は、通路部の周面Ｂおよびスロート部の周面に沿うように流れない場合があると考えられる。例えば、図中の「破線の矢印」に示すように、通路部の周面Ｂとスロート部が接続される位置において混合気がそれら周面から剥離することに起因し、混合気が、上記「実線の矢印」とは異なる方向に向かって流れる場合がある。
【００８８】
すなわち、吸気ポート９１を構成する部材がばらつきを「有さない」場合における吸気ポート９１を通過した混合気の流れ方向と、同部材がばらつきを「有する」場合における同混合気の流れ方向と、が異なる場合がある。吸気ポート９１を通過した混合気の流れ方向が変化すると、意図された吸気ポートの特性（例えば、図１３を参照しながら後述されるタンブル比など）が得られない可能性がある。
【００８９】
これに対し、図５は、本発明の第１実施形態に係る吸気ポート３１を混合気が通過する様子を示す模式図である。上記同様、図５における符号Ａは吸気ポート３１を構成する部材がばらつきを「有さない」場合における通路部の周面を表し、符号Ｂは同部材が上記同様のばらつきδを「有する」場合における通路部の周面を表す。
【００９０】
円錐台の側面の傾きは、一般に、通路部とスロート部とが接続される位置が同一の母線上において変化する限り、変化しない考えられる。そのため、通路部と周面Ａとスロート部の側面とによって定義される角度の大きさ、および、通路部と周面Ｂとスロート部の側面とによって定義される角度の大きさ、は同一の角度γである。よって、通路部の周面Ａの近傍を流れる混合気（図中の実線の矢印）および通路部の周面Ｂの近傍を流れる混合気（図中の破線の矢印）は、実質的に同一の方向に向かって流れると考えられる。
【００９１】
すなわち、吸気ポート３１を構成する部材がばらつきを「有さない」場合における吸気ポート３１を通過する混合気の流れ方向と、同部材がばらつきを「有する」場合における同混合気の流れ方向と、が実質的に同一であると考えられる。
【００９２】
このように、本発明の第１実施形態に係る吸気ポート３１は、吸気ポート３１を構成する部材がばらつきを有する場合であっても、参考例の吸気ポート９１に比べ、吸気ポートを通過する混合気の流れ方向がそのばらつきに起因して変化することを抑制し得る。これにより、吸気ポート３１は、意図されたポートの特性を出来る限り得ることができる。
以上が、本発明の第１実施形態に係るポートについての説明である。
【００９３】
（第２実施形態）
次に、本発明の第２実施形態に係るポートが説明される。
【００９４】
＜装置の概要＞
本発明の第２実施形態に係るポートは、バルブシート部が特定の形態を有する点においてのみ、上述した第１実施形態に係るポートと相違する。そこで、以下、この相違点を中心として、第２実施形態に係るポートが具体的に説明される。なお、以下の図６および図７において、第１実施形態に係るポートを構成する部材と同一の部材には、第１実施形態における部材に付された符号と同一の符号が付されている。
【００９５】
図６は、第２実施形態に係るポートである吸気ポート３１の概略を示す拡大斜視図である。バルブシート部３１ａは、第１実施形態に係る吸気ポートと同様、スロート部３１ｂと燃焼室２５の内部とを連通させるように、スロート部３１ｂの燃焼室側端部に接続されている。さらに、バルブシート部３１ａは、網掛け部分として示されるように、複数の（本例においては、４つの）環状の面を有している。これら４つの環状の面のうちの一の面と、その一の面に隣接する他の面と、は接続されている。なお、４つの環状の面のそれぞれは、平面の形状の帯が閉じた環であるように構成されている。
【００９６】
図７は、燃焼室２５、吸気ポート３１および排気ポート３５を含む領域が燃焼室２５の軸線に平行な平面によって切断されたときの同燃焼室２５、同吸気ポート３１および同排気ポート３５の断面の概略を示す図である。さらに、図７においては、吸気ポート３１のバルブシート部３１ａと燃焼室２５との境界の近傍（図中のＣ部）の拡大図が示されている。
【００９７】
Ｃ部の拡大図に示すように、「４つの環状の面のうちの第１の面３１ａ１と、第１の面３１ａ１に隣接する第２の面３１ａ２と、によって定義される角度」の大きさは、角度θである。さらに、「第２の面３１ａ２と、第２の面３１ａ２に隣接する第３の面３１ａ３と、によって定義される角度」の大きさも、角度θである。加えて、「第３の面３１ａ３と、第３の面３１ａ３に隣接する第４の面３１ａ４と、によって定義される角度」の大きさも、角度θである。すなわち、４つの環状の面のうちの隣接する２つの面によって定義される角度のそれぞれは、同一（角度θ）である。
【００９８】
上述した構成を有する第２実施形態に係る吸気ポート３１は、上述した機関１０と同様の構成を有する内燃機関（図１を参照。以下、便宜上、「機関１０」と称呼される。）に適用される。
【００９９】
＜バルブシート部を通過する混合気の流動＞
混合気がバルブシート部３１ａを通過するとき、バルブシート部３１ａの周面の近傍を流れる混合気の流れ方向は、４つの環状の面の接続位置を通過する毎に同一の角度θずつ変更されると考えられる。そのため、上記角度が同一ではないバルブシート部に比べ、混合気がバルブシート部３１ａから剥離する可能性が小さいと考えられる。
【０１００】
したがって、吸気ポート３１は、燃焼室２５におけるガスの流動をより適切に制御することができる。
【０１０１】
なお、４つの環状の面のうちの隣接する２つの面によって定義される角度は、混合気の特性などを考慮して剥離が生じることが抑制され得ると考えられる角度であればよく、特に制限されない。例えば、同角度として、１５度が採用され得る。
以上が、本発明の第２実施形態に係るポートについての説明である。
【０１０２】
（第３実施形態）
次に、本発明の第３実施形態に係るポートが説明される。
【０１０３】
＜装置の概要＞
本発明の第３実施形態に係るポートは、バルブシート部が特定の形態を有する点においてのみ、上述した第１実施形態に係るポートと相違する。そこで、以下、この相違点を中心として、第３実施形態に係るポートが具体的に説明される。なお、以下の図８において、第１実施形態に係るポートを構成する部材と同一の部材には、第１実施形態における部材に付された符号と同一の符号が付されている。
【０１０４】
図８は、燃焼室２５、吸気ポート３１および排気ポート３５を含む領域が燃焼室２５の軸線に平行な平面によって切断されたときの同燃焼室２５、同吸気ポート３１および同排気ポート３５の断面の概略を示す図である。さらに、図８においては、吸気ポート３１のバルブシート部３１ａと燃焼室２５との境界の近傍（図中のＤ部）の拡大図が示されている。
【０１０５】
吸気ポート３１は、上述した第２実施形態に係る吸気ポートと同様、互いに接続された複数の（本例においては、４つの）環状の面を有している。Ｄ部の拡大図に示すように、「４つの環状の面のうちの第１の面３１ａ１の幅」の大きさは、幅ｗである。さらに、「第２の面３１ａ２の幅」の大きさも、幅ｗである。加えて、「第３の面３１ａ３の幅」の大きさも幅ｗであり、「第４の面３１ａ４の幅」の大きさも幅ｗである。すなわち、４つの環状の面の幅のそれぞれは、同一（幅ｗ）である。
【０１０６】
上述した構成を有する第３実施形態に係る吸気ポート３１は、上述した機関１０と同様の構成を有する内燃機関（図１を参照。以下、便宜上、「機関１０」と称呼される。）に適用される。
【０１０７】
＜バルブシート部を通過する混合気の流動＞
混合気がバルブシート部３１ａを通過するとき、バルブシート部３１ａの周面の近傍を流れる混合気の流れ方向は、同一の距離（幅ｗ）を進む毎に変更されると考えられる。そのため、上記幅が同一ではないバルブシート部に比べ、混合気がバルブシート部３１ａから剥離する可能性が小さいと考えられる。
【０１０８】
したがって、吸気ポート３１は、燃焼室２５におけるガスの流動をより適切に制御することができる。
以上が、本発明の第３実施形態に係るポートについての説明である。
【０１０９】
（第４実施形態）
次に、本発明の第４実施形態に係るポートが説明される。
【０１１０】
＜装置の概要＞
本発明の第４実施形態に係るポートは、スロート部と通路部とが特定の考え方に従って接続される点においてのみ、上述した第１実施形態に係るポートと相違する。そこで、以下、この相違点を中心として、第４実施形態に係るポートが具体的に説明される。なお、以下の図９〜１４において、第１実施形態に係るポートを構成する部材と同一の部材には、第１実施形態における部材に付された符号と同一の符号が付されている。
【０１１１】
図９は、第４実施形態に係るポートである吸気ポート３１の概略を示す拡大斜視図である。通路部３１ｃは、第１実施形態に係る吸気ポートと同様、スロート部３１ｂと燃焼室２５の外部とを連通させるように、スロート部３１ｂの吸気側端部に接続されている。
【０１１２】
より具体的に述べると、スロート部３１ｂと通路部３１ｃとは、スロート部３１ｂの軸線Ｅと通路部３１ｃの軸線Ｆとが同一の平面に含まれるように、接続されている。
【０１１３】
さらに、スロート部３１ｂと通路部３１ｃとは、「スロート部３１ｂの円錐台の形状３１ｂ１の母線３１ｂｇｅｎが延長された直線（以下、「母線の延長線」とも称呼される。）３１ｂｅｘｔの少なくとも一部」が、「通路部３１ｃの周面であって、通路部３１ｃとスロート部３１ｂとの境界線３１ｂｃｂｏを含む周面（以下、「接続位置の近傍の周面」とも称呼される。）３１ｃｐｅｒ」に含まれるように、接続されている。
【０１１４】
別の言い方をすると、母線の延長線３１ｂｅｘｔの上において、スロート部３１ｂの円錐台の形状３１ｂ１の側面と、接続位置の近傍の周面３１ｃｐｅｒと、によって定義される角度がゼロ（または１８０度）であるように、スロート部３１ｂと通路部３１ｃとが接続されている。
【０１１５】
上述した構成を有する第４実施形態に係る吸気ポート３１は、上述した機関１０と同様の構成を有する内燃機関（図１を参照。以下、便宜上、「機関１０」と称呼される。）に適用される。
【０１１６】
＜燃焼室の内部におけるガスの流動＞
以下、吸気ポート３１を通過した混合気の燃焼室２５の内部における流動が、説明される。
【０１１７】
まず、第４実施形態に係る吸気ポート３１における上記流動が説明される前に、「参考例」としての吸気ポートを通過した混合気の燃焼室２５の内部における流動が説明される。図１０は、「参考例」としての吸気ポート１０１および排気ポート１０２が適用された機関１０について、燃焼室２５、吸気ポート１０１および排気ポート１０２を含む領域が燃焼室２５の軸線に平行な平面によって切断されたときの同燃焼室２５、同吸気ポート１０１および同排気ポート１０２の断面の概略を示す図である。なお、図２と同様、本実施形態のポートの構成を説明するために必ずしも必要ではない部材は、図４において表示されていない。
【０１１８】
参考例の吸気ポート１０１は、スロート部１０１ｂが「楕円体」の形状の少なくとも一部（別の言い方をすると、「ドーム型」の形状）を有している点においてのみ、本発明の第４実施形態に係る吸気ポート３１と相違している。すなわち、参考例におけるバルブシート部１０１ａおよび通路部１０１ｃは、本発明の第４実施形態に係る吸気ポート３１におけるバルブシート部３１ａおよび通路部３１ｃと同様の形状を有しており、同吸気ポート９１と同様にスロート部１０１ｂに接続されている。
【０１１９】
図１１は、吸気バルブ３２が開いており且つ排気バルブ３６が閉じているとき（すなわち、吸気行程において）、参考例の吸気ポート１０１を通過した混合気の燃焼室２５の内部における流動の一例を示す概略図である。
【０１２０】
図１１に示すように、燃焼室２５に導入される混合気のうち「吸気ポート１０１から最も離れた燃焼室２５の側面２５ａ（以下、「排気側周面２５ａ」とも称呼される。）に向かって流れる混合気ＩＮｄｉｒ」は、スロート部の周面のうちの排気側周面２５ａに近い周面１０１ｂｕｓ（以下、「上側の周面１０１ｂｕｓ」とも称呼される。）に沿うように流れ、吸気ポート１０１を通過する。混合気ＩＮｄｉｒは、図中の実線によって示される。
【０１２１】
参考例におけるスロート部は「ドーム型」の形状を有するので、混合気ＩＮｄｉｒがスロート部を通過するとき、混合気ＩＮｄｉｒの流れ方向は、スロート部の上側の周面１０１ｂｕｓに沿うように（図中の吸気バルブ３２に向かう方向に。別の言い方をすると、バルブシート部の周面１０１ａｕｓから離れる方向に）変更される。その結果、図１１に示すように、混合気ＩＮｄｉｒが、スロート部の上側の周面１０１ｂｕｓとバルブシート部の周面１０１ａｕｓとが接続される位置の近傍において吸気ポート１０１の周面から剥離する場合がある。
【０１２２】
一方、燃焼室２５に導入される混合気のうち「吸気ポート１０１に最も近い燃焼室２５の周面２５ｂ（以下、「吸気側周面２５ｂ」とも称呼される。）に向かって流れる混合気ＩＮｉｎｖ」は、通路部の周面１０１ｃｌｓ、および、スロート部の周面のうちの吸気側周面２５ｂに近い周面１０１ｂｌｓ（以下、「下側の周面１０１ｂｌｓ」とも称呼される。）に沿うように流れ、吸気ポート１０１を通過する。混合気ＩＮｉｎｖは、図中の破線によって示される。
【０１２３】
この混合気ＩＮｄｉｒは、スロート部の下側の周面１０１ｂｌｓと通路部の周面１０１ｃｌｓとの接続角度、および、スロート部の下側の周面１０１ｂｌｓとバルブシート部の周面１０１ａｌｓとの接続角度が適切であれば、図１１に示すように、吸気ポート１０１の周面から剥離することなく燃焼室２５に導入され得る。
【０１２４】
このように、参考例の吸気ポート１０１においては、スロート部の上側の周面１０１ｂｕｓの近傍を流れる混合気ＩＮｄｉｒが吸気ポート１０１の周面から剥離する場合がある。この場合、混合気ＩＮｄｉｒが適切に燃焼室２５に導入されないので、燃焼室２５の内部における混合気の流動が適切に制御されない。例えば、タンブル比および燃焼室２５に導入される混合気の流量が十分に増大されない（後述される図１３も参照。）。
【０１２５】
ところで、混合気ＩＮｄｉｒが吸気ポート１０１から剥離することを防ぐために、スロート部の上側の周面１０１ｂｕｓとバルブシート部の周面１０１ａｕｓとが接続される位置の近傍において混合気ＩＮｄｉｒが吸気ポート１０１の側面から剥離しない程度に、吸気ポート１０１が傾けられることが考えられる。例えば、図１２に示すように、吸気ポート１０１の軸線が図１１における吸気ポート１０１の軸線Ｇに対して角度εだけ傾けられた軸線Ｈに一致するように、吸気ポート１０１が傾けられることが考えられる。
【０１２６】
上述したように吸気ポート１０１が傾けられると、排気側周面２５ａに向かって流れる混合気ＩＮｄｉｒは、図１１に示す場合よりもバルブシート部の周面１０１ａｕｓに近い方向に向かって流れる。そのため、混合気ＩＮｄｉｒは、吸気ポート１０１の周面から剥離することなく燃焼室２５に導入され得る。
【０１２７】
ところが、上述したように吸気ポート１０１が傾けられると、スロート部の下側の周面１０１ｂｌｓと通路部の周面１０１ｃｌｓとの接続角度、または、スロート部の下側の周面１０１ｂｌｓとバルブシート部の周面１０１ａｌｓとの接続角度、がが変化する。そのため、混合気ＩＮｉｎｖは、例えば、スロート部の下側の周面１０１ｂｌｓとバルブシート部の周面１０１ａｌｓとが接続される位置の近傍において吸気ポート１０１の周面から剥離する場合がある。
【０１２８】
このように、参考例の吸気ポート１０１が傾けられると、スロート部の上側の周面１０１ｂｕｓの近傍を流れる混合気ＩＮｄｉｒが吸気ポート３１から剥離することが防がれ得るものの、スロート部の下側の周面１０１ｂｌｓの近傍を流れる混合気ＩＮｉｎｖが吸気ポート１０１の周面から剥離する場合がある。この場合、上記同様、燃焼室２５の内部における混合気の流動が適切に制御されない。
【０１２９】
これに対し、図１３は、本発明の第４実施形態に係る吸気ポート３１を通過した混合気の燃焼室２５の内部における流動の一例を示す模式図である。上記同様、本実施形態のポートの構成を説明するために必ずしも必要ではない部材は、図１３において表示されていない。
【０１３０】
図１３に示すように、本発明の吸気ポート３１においては、混合気ＩＮｄｉｒおよび混合気ＩＮｉｎｖの双方が吸気ポート３１から剥離せず、かつ、混合気ＩＮｄｉｒが燃焼室２５の内部において旋回流（タンブル）を形成する。
【０１３１】
より具体的に述べると、まず、排気側周面２５ａに向かって流れる混合気ＩＮｄｉｒは、吸気ポート３１の上側の周面３１ｂｕｓに沿うように流れて吸気ポート３１を通過する。吸気ポート３１においては、上述したように、スロート部３１ｂの軸線Ｅと通路部３１ｃの軸線Ｆとが同一の平面に含まれるように、スロート部３１ｂと通路部３１ｃとが接続されている。そのため、スロート部３１ｂを混合気が通過するときにスロート部３１ｂの周面に沿って流れる混合気の流れ方向は、スロート部３１ｂの円錐台の形状の母線３１ｂｇｅｎと平行であることになる。
【０１３２】
よって、混合気ＩＮｄｉｒは、上記参考例の場合（スロート部１０１ｂを通過するときに混合気の流れ方向が変化する。図１１を参照。）とは異なり、スロート部の上側の周面３１ｂｕｓとバルブシート部の周面３１ａｕｓとが接続される位置の近傍において吸気ポート３１から剥離することなく、吸気ポート３１を通過し得る。
【０１３３】
さらに、吸気ポート３１においては、スロート部３１ｂの円錐台の形状３１ｂ１の母線の延長線３１ｂｅｘｔの少なくとも一部が通路部３１ｃの接続位置の近傍の周面３１ｃｐｅｒに含まれるように、スロート部３１ｂと通路部３１ｃとが接続されている（図９を参照。）。そのため、混合気ＩＮｄｉｒが通路部およびスロート部を通過するとき、混合気ＩＮｄｉｒの流れ方向は変更されない。
【０１３４】
よって、混合気ＩＮｄｉｒが通路部およびスロート部を通過するときに混合気ＩＮｄｉｒの流れ方向が変更されないので、上記参考例の場合に比べ、吸気ポート３１を通過するときの混合気ＩＮｄｉｒのエネルギの損失が低減され得ると考えられる。
【０１３５】
本例においては、スロート部３１ｂの母線の延長線３１ｂｅｘｔの向き（図９を参照。図１３における吸気ポート３１の軸線Ｆの向きに相当。）は、「混合気ＩＮｄｉｒによって燃焼室２５の内部に形成される旋回流（タンブル）の角速度ωが出来る限り大きい」ように調整されている。例えば、スロート部３１ｂの母線の延長線３１ｂｅｘｔの向きは、混合気ＩＮｄｉｒが燃焼室２５の排気側周面２５ａに到達するときの同混合気ＩＮｄｉｒの流速が出来る限り大きいように（簡便に述べると、排気側周面２５ａに一直線に向かうように）調整されている。
【０１３６】
具体的に述べると、燃焼室２５に導入された混合気ＩＮｄｉｒは、排気バルブ３６、排気側周面２５ａ、ピストン２２、および、吸気側周面２５ｂにこの順に沿うように流れる。その結果、混合気ＩＮｄｉｒは、燃焼室２５の内部において、燃焼室２５の軸線に垂直な軸周りに回転する旋回流（いわゆる、タンブル）を形成する。
【０１３７】
ここで、一般に、機関１０の機関回転速度ＮＥに対する燃焼室２５の内部における旋回流（タンブル）の角速度ωの比（ω／ＮＥ）は、「タンブル比」と称呼される。本説明から理解されるように、機関回転速度ＮＥの単位値に対するタンブルの角速度ωが大きいほど（すなわち、燃焼室２５の内部に強いタンブルが形成されるほど）、タンブル比の値は大きいことになる。なお、タンブル比の算出方法として、例えば、機関１０と同様の構成を備える実験用の機関を用いてあらかじめ行われる測定の結果、または、燃焼室２５の内部の混合気の流動を推定するシミュレーションの結果、などに基づいてタンブル比を算出する方法などが採用され得る。
【０１３８】
上述したように、本例においては、スロート部３１ｂの母線の延長線３１ｂｅｘｔの向き（換言すると、燃焼室２５に導入される混合気の流れ方向）が調整されることにより、旋回流（タンブル）の角速度ωが増大され得る。したがって、本例の吸気ポート３１が採用された機関１０は、参考例の吸気ポート１０１が採用された機関１０よりも、タンブル比を増大せしめ得る。
【０１３９】
タンブル比が増大された場合、混合気が燃焼する際の火炎伝播がより円滑に進行され、混合気がより効率良く燃焼され得る。その結果、例えば、燃費が向上され得ると考えられる。
【０１４０】
さらに、吸気側周面２５ｂに向かって流れる混合気ＩＮｉｎｖは、通路部の周面３１ｃｌｓ、スロート部の下側の周面３１ｂｌｓ、および、バルブシート部の周面３１ａｌｓに沿うように流れて吸気ポート３１を通過する。本例の吸気ポート３１においては、上述したように、参考例（図１２）のように吸気ポートを傾けることなくスロート部の上側の周面３１ｂｕｓの近傍を流れる混合気ＩＮｄｉｒが吸気ポート３１から剥離することが防がれ得る。そのため、スロート部の下側の周面３１ｂｌｓと通路部の周面３１ｃｌｓとの接続角度、および、スロート部の下側の周面３１ｂｌｓとバルブシート部の周面３１ａｌｓとの接続角度を、混合気ＩＮｄｉｒの剥離が生じない適切な角度に設定し得る。よって、混合気ＩＮｄｉｒは、吸気ポート３１の周面から剥離することなく燃焼室２５に導入され得る。
【０１４１】
上述したように、本例においては、吸気ポート３１を通過する混合気（混合気ＩＮｄｉｒおよび混合気ＩＮｄｉｒの双方）が吸気ポート３１から剥離することが防がれ得る。したがって、本例の吸気ポート３１が採用された機関１０は、参考例の吸気ポート３１が採用された機関１０よりも、燃焼室２５に導入される混合気の流量を増大せしめ得る。
【０１４２】
燃焼室２５に導入される混合気の流量が増大された場合、混合気が燃焼するときに生じるエネルギが増大されるので、機関１０の出力が向上され得ると考えられる。
【０１４３】
なお、本例においては、燃焼室２５に導入される混合気の流れ方向が調整されることによってタンブル比が増大され得るので、タンブル比を増大させるために混合気の流速が高められる（例えば、ポートの口径が小さくされる）必要がない。そのため、混合気の流速が高められることによる混合気の温度の上昇、および、その混合気の温度の上昇に起因するノッキングの増大、が抑制され得る。また、ポートの口径が小さくされることによる混合気の流量の低下、および、混合気の流量の低下に起因する機関１０の出力の低下、も抑制され得る。
【０１４４】
以上に述べたように、第４実施形態に係る吸気ポート３１は、燃焼室２５の内部における混合気の流動を適切に制御し得る。これにより、意図されたポートの特性がより確実に得られる。
以上が、本発明の第４実施形態に係るポートについての説明である。
【０１４５】
ところで、上記説明から理解されるように、第１実施形態に係る吸気ポート３１（ばらつきの影響を抑制）と、上述した第２実施形態または第３実施形態に係る吸気ポート３１（バルブシート部の形状）と、第４実施形態に係る吸気ポート３１（スロート部と通路部との接続についての考え方）と、が組み合わせられると、吸気ポート３１を構成する部材のばらつきの影響が抑制されながら、タンブル比および燃焼室２５に導入される混合気の流量がさらに向上され得る。例えば、図１４におけるタンブル比と流量との関係の概略を示すグラフに示されるように、本発明のポートは、ばらつきがタンブル比および流量に与える影響を参考例（図１０を参照。）のポートよりも低減させながら、タンブル比および流量の双方を参考例（図１０を参照。）のポートよりも増大させ得ると考えられる。
【０１４６】
＜実施形態の総括＞
以上、説明したように、本発明の各実施形態（第１実施形態〜第４実施形態）に係るポートは、円錐台の形状の少なくとも一部（図３における円錐台部分３１ｂ１）を有するスロート部３１ｂと、スロート部３１ｂと燃焼室２５の内部とを連通させるようにスロート部３１ｂの一の端部（燃焼室側端部）に接続されるバルブシート部３１ａと、スロート部３１ｂと燃焼室２５の外部とを連通させるようにスロート部３１ｂの他の端部（吸気側端部）に接続される通路部３１ｃと、を備える（例えば、図２および図３を参照。）。
【０１４７】
本発明のポートにおいて、
バルブシート部３１ａは、３つ以上の環状の面（例えば、４つの環状の面。図６を参照。）であってこれら環状の面のうちの隣接する２つの面によって定義される角度のそれぞれが同一（図７における角度θ）である環状の面を有する、ように構成され得る。
【０１４８】
さらに、本発明のポートにおいて、
バルブシート部３１ａは、複数の環状の面（３つ以上の環状の面。例えば、４つの環状の面）であって該複数の環状の面の幅のそれぞれが同一（図８の幅ｗ）である複数の環状の面を有する、ように構成され得る。
【０１４９】
ところで、本発明のポートにおいて、
バルブシート部３１ａは、４つの環状の面を有するように構成され得る（図６を参照。）。
【０１５０】
さらに、本発明のポートは、
スロート部３１ｂをガスが通過するときにスロート部３１ｂの周面に沿って流れるガスの流れ方向がスロート部３１ｂの円錐台の形状の母線３１ｂｇｅｎと平行であるように、スロート部３１ｂと通路部３１ｃとが接続される、ように構成され得る。
【０１５１】
すなわち、例えば、本発明のポートは、
スロート部３１ｂの軸線Ｅと通路部３１ｃの軸線Ｆとが同一の平面に含まれるように、スロート部３１ｂと通路部３１ｃとが接続される、ように構成され得る。
【０１５２】
さらに、本発明のポートにおいて、
スロート部３１ｂの円錐台の形状３１ｂ１の母線３１ｂｇｅｎが延長された直線３１ｂｅｘｔの少なくとも一部が、通路部３１ｃの周面であって通路部３１ｃとスロート部３１ｂとの境界線３１ｂｃｂｏを含む周面３１ｃｐｅｒに含まれるように、スロート部３１ｂと通路部３１ｃとが接続され得る。
【０１５３】
＜その他の態様＞
本発明は上記各実施形態に限定されることはなく、本発明の範囲内において種々の変形例を採用することができる。
【０１５４】
例えば、上記各実施形態に係るポートは、火花点火式機関１０に適用されている。しかし、本発明のポートは、火花点火式機関以外の機関（例えば、ディーゼル機関）にも適用され得る。
【０１５５】
さらに、上記各実施形態においては、本発明のポートが吸気ポート３１に適用されている。しかし、本発明のポートは、排気ポートにも適用され得る。
【０１５６】
加えて、上記各実施形態においては、吸気ポート３１のバルブシート部３１ａは、４つの環状の面を有している。しかし、バルブシート部の環状の面の数は、バルブシート部を形成するためのコストおよびポートにおけるガスの遮断性などを考慮した適値に設定されればよく、特に制限されない。
【０１５７】
さらに、上記各実施形態においては、通路部３１ｃは、円柱の形状を有している。しかし、通路部３１ｃは、角柱の形状、または、楕円柱の形状などを有し得る。
【０１５８】
さらに、上記各実施形態においては、スロート部３１ｂは、円錐台の形状の一部３１ｂ１を有している。しかし、スロート部は、完全な円錐台の形状を有するように構成され得る。
【０１５９】
さらに、上記各実施形態においては、バルブシート部３１ａを構成する複数の環状の面（３１ａ１〜３１ａ４）は、平面の形状の帯が閉じた環であるように構成されている。しかし、複数の環状の面として、曲面の形状の帯が閉じた環であるように構成され得る。さらに、環状の面として曲面の形状の帯が閉じた環が採用される場合、複数の環状の面の一部または全部によって他の一つの曲面が形成されるように、各々の曲面の曲率半径が設定されてもよい。
【符号の説明】
【０１６０】
１０…内燃機関、２５…燃焼室、３１…吸気ポート、３１ａ…バルブシート部、３１ｂ…スロート部、３１ｃ…通路部、３２…吸気バルブ、３５…排気ポート、３６…排気バルブ
【図１】
2012246885.tif 000003
【図２】
2012246885.tif 000004
【図３】
2012246885.tif 000005
【図４】
2012246885.tif 000006
【図５】
2012246885.tif 000007
【図６】
2012246885.tif 000008
【図７】
2012246885.tif 000009
【図８】
2012246885.tif 000010
【図９】
2012246885.tif 000011
【図１０】
2012246885.tif 000012
【図１１】
2012246885.tif 000013
【図１２】
2012246885.tif 000014
【図１３】
2012246885.tif 000015
【図１４】
2012246885.tif 000016